【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
第１医療機器と第２医療機器との間の流体の流れを可能にする医療用コネクタであって、
第１医療機器を受け入れるように構成された上端、及び、自身の中心長手軸線を中心とする少なくとも２つの下向き突起を備える上側ハウジングであって、前記少なくとも２つの下向き突起が、各々、基礎部における第１角度幅、及び、前記下向き突起の側縁から前記突起の下側先端における縁まで各々延びる位置合わせ面を有する、上側ハウジングと、
前記上側ハウジングに固定された封止要素と、
第２医療機器を受け入れるように構成された下端、及び、自身の中心長手軸線を中心とする少なくとも２つの上向き突起を備える下側ハウジングであって、各々の上向き突起が、前記上向き突起の側縁から各々の突起の上側先端における縁まで各々延びる２つの位置合わせ面、及び、第２角度幅を有し、隣接する上向き突起によっていずれかの側において境界の設けられる少なくとも２つの隙間を有する、下側ハウジングと
を備え、
前記上側ハウジング及び前記下側ハウジングが共に接合されるように構成され、各々の下向き突起が前記少なくとも２つの隙間のうちの１つの内部に嵌まるように構成される医療用コネクタ。
【請求項２】
前記第１角度幅が前記第２角度幅より小さく、選択的に、前記第１角度幅及び前記第２角度幅が、前記下向き突起の各々が前記少なくとも２つの隙間のうちの１つの内部に面一で嵌まるような大きさとされる、請求項１に記載の医療用コネクタ。
【請求項３】
前記上側ハウジングと前記下側ハウジングとが共に接合されるときに前記下向き突起の各々が前記少なくとも２つの隙間のうちの１つと位置合わせされない場合、前記下向き突起の前記位置合わせ面が前記上向き突起の前記位置合わせ面と接触し、前記下向き突起の各々が前記少なくとも２つの隙間のうちの１つと位置合わせされるまで、前記上側ハウジングと前記下側ハウジングとを互いに対して回転しようとするように、前記下向き突起の前記位置合わせ面と前記上向き突起の前記位置合わせ面とが構成される、請求項１に記載の医療用コネクタ。
【請求項４】
前記下向き突起及び前記上向き突起の前記位置合わせ面が、整合する螺旋表面を備える、請求項２に記載の医療用コネクタ。
【請求項５】
前記少なくとも２つの上向き突起が、各々、前記突起を貫通する開口を備える、請求項１に記載の医療用コネクタ。
【請求項６】
前記封止要素が、中心体と、前記中心体の両側において前記中心体から外向きに延びる２つの肩部とを備え、前記上側ハウジングと前記下側ハウジングとが接合されるとき、各々の肩部が前記少なくとも２つの上向き突起のうちの１つの前記開口と位置合わせされるように、前記肩部が配向される、請求項５に記載の医療用コネクタ。
【請求項７】
前記下向き突起の各々の位置合わせ面が、前記下向き突起の前記側縁の最も外側の位置から、前記下向き突起の前記下側先端における前記縁の最も外側の位置までで測定される高さ及び幅を有する、請求項１に記載の医療用コネクタ。
【請求項８】
前記上向き突起の各々の位置合わせ面が、前記上向き突起の前記側縁の最も外側の位置から、前記上向き突起の前記上側先端における前記縁の最も外側の位置までで測定される高さ及び幅を有する、請求項１に記載の医療用コネクタ。
【請求項９】
第１医療機器と第２医療機器との間の流体の流れを可能にする医療用コネクタであって、
第１医療機器を受け入れるように構成された上端、及び、第２医療機器を受け入れるように構成された下端を備えるハウジングと、
前記ハウジングの前記下端から前記ハウジングの内部空間内の位置へと延びるカニューレと、
前記ハウジングの前記上端に取り付けられ、前記ハウジングの内部空間内に少なくとも部分的に配置される弁部材であって、前記弁部材が、前記弁部材の内部空洞内へと延びる前記弁部材の上面のスリット、及び、前記弁部材の底面における前記内部空洞への開口を備え、前記弁部材が、前記弁部材及び前記カニューレがそれらの間に隙間を画定する第１状態と、前記内部空洞への前記開口が前記カニューレの第１部分の周りに配置される第２状態とを有する、弁部材と
を備える医療用コネクタ。
【請求項１０】
前記弁部材が、前記ハウジングの前記上端に固定的に取り付けられ、前記ハウジングに対する回転を防止する、請求項９に記載の医療用コネクタ。
【請求項１１】
前記弁部材が、中心体と、前記中心体から外向きに延びる２つの肩部とを備える、請求項９に記載の医療用コネクタ。
【請求項１２】
前記弁部材が前記第２状態にあるとき、各々の肩部が、前記ハウジングの内部の中の対応する窪み内に配置される、請求項１１に記載の医療用コネクタ。
【請求項１３】
各々の窪みの上側表面が、対応する前記肩部と接触し、前記弁部材が前記第１状態へと戻るのを防止する、請求項１２に記載の医療用コネクタ。
【請求項１４】
第１医療機器が前記ハウジングの前記上端に取り付けられるとき、各々の肩部が、対応する前記窪みの上側表面との接触から解除される、請求項１３に記載の医療用コネクタ。
【請求項１５】
前記中心体から各々の肩部の外側位置までの各々の肩部の幅が、各々の肩部の幅と同じ鉛直方向高さにおいて、前記弁部材の前記内部空洞の幅の半分未満である、請求項１１に記載の医療用コネクタ。
【請求項１６】
前記弁部材が前記第１状態にあるとき、前記弁部材がドーム型の上部を有し、前記弁部材が前記第２状態にあるとき、前記弁部材が実質的に平らな上部を有し、選択的に、前記第２状態における前記弁部材の実質的に平らな上部が、前記ハウジングの上側表面と実質的に面一である、請求項９に記載の医療用コネクタ。
【請求項１７】
第１医療機器が前記ハウジングの前記上端に取り付けられるとき、前記開口が、前記第１部分より大きい前記カニューレの第２部分の周りの位置へと延びる、請求項９に記載の医療用コネクタ。
【請求項１８】
前記ハウジングの前記上端が、上方を向く隆条部を備え、前記弁部材が、少なくとも一部が前記隆条部に着座する唇部を備える、請求項９に記載の医療用コネクタ。
【請求項１９】
前記弁部材が、前記唇部内に少なくとも部分的に配置される剛性環状挿入部を備える、請求項１８に記載の医療用コネクタ。
【請求項２０】
前記上方を向く隆条部が第１隆条部であり、前記唇部が第１唇部であり、前記ハウジングが、前記第１隆条部の上に上側隆条部をさらに備え、前記弁部材が、前記第１唇部の上に、前記第１唇部を越えて延びる上側唇部をさらに備え、前記上側唇部の少なくとも一部が前記上側隆条部に着座する、請求項１８に記載の医療用コネクタ。
【請求項２１】
第１医療機器と第２医療機器との間の流体の流れを可能にする医療用コネクタであって、
第１医療機器を受け入れるように構成された上端、及び、第２医療機器を受け入れるように構成された下端を備えるハウジングと、
前記ハウジングの前記上端に取り付けられ、前記ハウジングの内部空間内に少なくとも部分的に配置される弁部材であって、前記弁部材が、中心体と、前記中心体の両側において前記中心体から延びる少なくとも２つの肩部とを備える、弁部材と、
前記ハウジング内の少なくとも２つの窪み領域と
を備え、
前記少なくとも２つの肩部の各々が、前記少なくとも２つの窪み領域のうちのそれぞれ１つの上に配置される第１状態と、各々の肩部が、前記少なくとも２つの窪み領域のうちのそれぞれ１つの内部にある第２状態とを、前記弁部材が有する医療用コネクタ。
【請求項２２】
前記ハウジングが前記少なくとも２つの窪み領域を画定する、請求項２１に記載の医療用コネクタ。
【請求項２３】
前記少なくとも２つの窪み領域の各々の上側表面が、前記少なくとも２つの肩部のそれぞれ１つのそれぞれ上面と接触し、前記少なくとも２つの肩部が前記第１状態へと戻るのを防止する、請求項２１記載の医療用コネクタ。
【請求項２４】
第１医療機器が前記ハウジングの前記上端に取り付けられるとき、各々の肩部が、対応する前記窪みの上側表面との接触から解除される、請求項２３に記載の医療用コネクタ。
【請求項２５】
前記弁部材が前記第１状態にあるとき、前記弁部材がドーム型の上部を有し、前記弁部材が前記第２状態にあるとき、前記弁部材が実質的に平らな上部を有する、請求項２１に記載の医療用コネクタ。